(57)【要約】      （修正有）【課題】無認可スペクトルを含むロングタームエボリューション（ＬＴＥ）およびＬＴＥアドバンスト（ＬＴＥ−Ａ）ネットワークにおけるチャネル状態情報（ＣＳＩ）フィードバックの方法を提供する。【解決手段】基地局は、複数の近隣基地局についてのクリアチャネルアセスメント（ＣＣＡ）結果情報を取得する５００。基地局は、取得したＣＣＡ結果情報に少なくとも部分的に基づいて、基地局によってサービスされる複数のユーザ機器（ＵＥ）についての制御シグナリングを生成する５０１。基地局は、生成した制御シグナリングを複数のＵＥに送信する５０２。【選択図】図５Ａ
2020036329.tif 000002
【特許請求の範囲】
【請求項１】
基地局によって、複数の近隣基地局についてのクリアチャネルアセスメント（ＣＣＡ）結果情報を取得することと、
前記基地局によって、前記基地局によってサービスされる１つまたは複数のユーザ機器（ＵＥ）についての制御シグナリングを生成することと、ここにおいて、前記制御シグナリングは前記ＣＣＡ結果情報に少なくとも部分的に基づく、
前記１つまたは複数のＵＥに前記制御シグナリングを送信することと、
を備える、ワイヤレス通信の方法。
【請求項２】
前記取得することは、
前記基地局によって、前記複数の近隣基地局のうちの少なくとも１つへのバックホール通信リンクを介して前記ＣＣＡ結果情報を受信することと、
前記基地局によって、前記１つまたは複数のＵＥから前記ＣＣＡ結果情報を受信することと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することと、
のうちの１つまたは複数を含む、請求項１に記載の方法。
【請求項３】
前記基地局によって、複数の送信フレームにわたって前記複数の近隣基地局のうちの１つまたは複数の近隣基地局から検出された干渉に基づいてヒステリシス干渉情報を取得することと、
前記基地局によって、非同期動作を有する少なくとも１つの近隣基地局に関連する前記ヒステリシス干渉情報を、前記複数の基地局のうちの他の近隣基地局から識別することと、ここにおいて、前記制御シグナリングは、さらに、前記少なくとも１つの近隣基地局に関連する前記ヒステリシス干渉情報に基づいて生成される、
をさらに含む、請求項１に記載の方法。
【請求項４】
前記ヒステリシス干渉情報を前記取得することは、
前記基地局によって、前記基地局についての失敗したＣＣＡを検出することと、
前記基地局によって、前記基地局において経験される前記干渉を測定することと、
前記測定された干渉に少なくとも部分的に基づいて前記ヒステリシス干渉情報を生成することと、
を含む、請求項３に記載の方法。
【請求項５】
前記１つまたは複数のＵＥからＵＥ干渉情報を受信することをさらに含み、
前記ヒステリシス干渉情報を前記生成することは、前記ＣＣＡ結果情報と前記ＵＥ干渉情報とのうちの１つまたは複数を使用して前記測定された干渉を重み付けすることを含む、
請求項４に記載の方法。
【請求項６】
前記ヒステリシス干渉情報を前記取得することは、測定報告の一部として前記１つまたは複数のＵＥから前記ヒステリシス干渉情報を受信することを含む、請求項３に記載の方法。
【請求項７】
前記基地局によって、前記ヒステリシス干渉情報に基づいて前記基地局と前記少なくとも１つの近隣基地局との間の１つまたは複数のタイミングオフセットを決定することをさらに含み、
前記制御シグナリングは、さらに、前記１つまたは複数のタイミングオフセットに基づいて生成される、
請求項３に記載の方法。
【請求項８】
前記基地局によって、ＷｉＦｉ（登録商標）送信を有する少なくとも１つの近隣ＷｉＦｉ基地局に関連する前記ヒステリシス干渉情報を識別することをさらに含み、
前記制御シグナリングは、さらに、前記少なくとも１つの近隣ＷｉＦｉ基地局に関連する前記ヒステリシス干渉情報に基づいて生成される、
請求項３に記載の方法。
【請求項９】
ユーザ機器（ＵＥ）によって、複数の近隣基地局についてのクリアチャネルアセスメント（ＣＣＡ）結果情報を示す送信信号を検出することと、
前記ＵＥによって、ＣＣＡ結果情報を示す前記送信信号に基づいて前記複数の近隣基地局についてのＣＣＡ結果情報推定値を決定することと、
前記ＵＥによって、サービング基地局に測定報告を送信することと、ここにおいて、前記測定報告は前記ＣＣＡ結果情報推定値を含む、
を備える、ワイヤレス通信の方法。
【請求項１０】
ＣＣＡ結果情報を示す前記送信信号は複数の送信フレームにわたって検出され、
前記ＣＣＡ結果情報推定値は前記複数の送信フレームにわたって決定される、
請求項９に記載の方法。
【請求項１１】
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、請求項９に記載の方法。
【請求項１２】
前記ＵＥによって、複数の送信フレームにわたって前記複数の近隣基地局から干渉状態を検出することと、
前記干渉状態を、前記複数の近隣基地局からの前記ＵＥにおける干渉に関連するヒステリシス干渉情報に処理することと、ここにおいて、前記ヒステリシス干渉情報は前記測定報告中に含まれる、
をさらに含む、請求項９に記載の方法。
【請求項１３】
ワイヤレス通信のために構成された装置であって、
基地局によって、複数の近隣基地局についてのクリアチャネルアセスメント（ＣＣＡ）結果情報を取得するための手段と、
前記基地局によって、前記基地局によってサービスされる１つまたは複数のユーザ機器（ＵＥ）についての制御シグナリングを生成するための手段と、ここにおいて、前記制御シグナリングは前記ＣＣＡ結果情報に少なくとも部分的に基づく、
前記１つまたは複数のＵＥに前記制御シグナリングを送信するための手段と、
を備える、装置。
【請求項１４】
取得するための前記手段は、
前記基地局によって、前記複数の近隣基地局のうちの少なくとも１つへのバックホール通信リンクを介して前記ＣＣＡ結果情報を受信するための手段と、
前記基地局によって、前記１つまたは複数のＵＥから前記ＣＣＡ結果情報を受信するための手段と、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出するための手段と、
のうちの１つまたは複数を含む、請求項１３に記載の装置。
【請求項１５】
前記基地局によって、複数の送信フレームにわたって前記複数の近隣基地局のうちの１つまたは複数の近隣基地局から検出された干渉に基づいてヒステリシス干渉情報を取得するための手段と、
前記基地局によって、非同期動作を有する少なくとも１つの近隣基地局に関連する前記ヒステリシス干渉情報を、前記複数の基地局のうちの他の近隣基地局から識別するための手段と、ここにおいて、前記制御シグナリングは、さらに、前記少なくとも１つの近隣基地局に関連する前記ヒステリシス干渉情報に基づいて生成される、
をさらに含む、請求項１３に記載の装置。
【請求項１６】
前記ヒステリシス干渉情報を取得するための前記手段は、
前記基地局によって、前記基地局についての失敗したＣＣＡを検出するための手段と、  前記基地局によって、前記基地局において経験される前記干渉を測定するための手段と、
前記測定された干渉に少なくとも部分的に基づいて前記ヒステリシス干渉情報を生成するための手段と、
を含む、請求項１５に記載の装置。
【請求項１７】
前記１つまたは複数のＵＥからＵＥ干渉情報を受信するための手段をさらに含み、
前記ヒステリシス干渉情報を生成するための前記手段は、前記ＣＣＡ結果情報と前記ＵＥ干渉情報とのうちの１つまたは複数を使用して前記測定された干渉を重み付けするための手段を含む、
請求項１６に記載の装置。
【請求項１８】
前記ヒステリシス干渉情報を取得するための前記手段は、測定報告の一部として前記１つまたは複数のＵＥから前記ヒステリシス干渉情報を受信するための手段を含む、請求項１５に記載の装置。
【請求項１９】
前記基地局によって、前記ヒステリシス干渉情報に基づいて前記基地局と前記少なくとも１つの近隣基地局との間の１つまたは複数のタイミングオフセットを決定するための手段をさらに含み、
前記制御シグナリングは前記１つまたは複数のタイミングオフセットに基づいてさらに生成される、
請求項１５に記載の装置。
【請求項２０】
前記基地局によって、ＷｉＦｉ送信を有する少なくとも１つの近隣ＷｉＦｉ基地局に関連する前記ヒステリシス干渉情報を識別するための手段をさらに含み、
前記制御シグナリングは、前記少なくとも１つの近隣ＷｉＦｉ基地局に関連する前記ヒステリシス干渉情報に基づいてさらに生成される、
請求項１５に記載の装置。
【請求項２１】
ワイヤレスネットワークにおけるワイヤレス通信のためのコンピュータプログラム製品であって、
プログラムコードを記録した非一時的コンピュータ可読媒体を備え、前記プログラムコードは、
基地局によって、複数の近隣基地局についてのクリアチャネルアセスメント（ＣＣＡ）結果情報を取得することをコンピュータに行わせるためのプログラムコードと、
前記基地局によって、前記基地局によってサービスされる１つまたは複数のユーザ機器（ＵＥ）についての制御シグナリングを生成することを前記コンピュータに行わせるためのプログラムコードと、ここにおいて、前記制御シグナリングは前記ＣＣＡ結果情報に少なくとも部分的に基づく、
前記１つまたは複数のＵＥに前記制御シグナリングを送信することを前記コンピュータに行わせるためのプログラムコードと、
を含む、コンピュータプログラム製品。
【請求項２２】
取得することを前記コンピュータに行わせるための前記プログラムコードは、
前記基地局によって、前記複数の近隣基地局のうちの少なくとも１つへのバックホール通信リンクを介して前記ＣＣＡ結果情報を受信することを前記コンピュータに行わせるためのプログラムコードと、
前記基地局によって、前記１つまたは複数のＵＥから前記ＣＣＡ結果情報を受信することを前記コンピュータに行わせるためのプログラムコードと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することを前記コンピュータに行わせるためのプログラムコードと、
のうちの１つまたは複数を含む、請求項２１に記載のコンピュータプログラム製品。
【請求項２３】
前記基地局によって、複数の送信フレームにわたって前記複数の近隣基地局のうちの１つまたは複数の近隣基地局から検出された干渉に基づいてヒステリシス干渉情報を取得することを前記コンピュータに行わせるためのプログラムコードと、
前記基地局によって、非同期動作を有する少なくとも１つの近隣基地局に関連する前記ヒステリシス干渉情報を、前記複数の基地局のうちの他の近隣基地局から識別することを前記コンピュータに行わせるためのプログラムコードと、ここにおいて、前記制御シグナリングは、さらに、前記少なくとも１つの近隣基地局に関連する前記ヒステリシス干渉情報に基づいて生成される、
をさらに含む、請求項２１に記載のコンピュータプログラム製品。
【請求項２４】
前記ヒステリシス干渉情報を取得することを前記コンピュータに行わせるための前記プログラムコードは、
前記基地局によって、前記基地局についての失敗したＣＣＡを検出することを前記コンピュータに行わせるためのプログラムコードと、
前記基地局によって、前記基地局において経験される前記干渉を測定することを前記コンピュータに行わせるためのプログラムコードと、
前記測定された干渉に少なくとも部分的に基づいて前記ヒステリシス干渉情報を生成することを前記コンピュータに行わせるためのプログラムコードと、
を含む、請求項２３に記載のコンピュータプログラム製品。
【請求項２５】
前記１つまたは複数のＵＥからＵＥ干渉情報を受信することを前記コンピュータに行わせるためのプログラムコードをさらに含み、
前記ヒステリシス干渉情報を生成することを前記コンピュータに行わせるための前記プログラムコードは、前記ＣＣＡ結果情報と前記ＵＥ干渉情報とのうちの１つまたは複数を使用して前記測定された干渉を重み付けすることを前記コンピュータに行わせるためのプログラムコードを含む、
請求項２４に記載のコンピュータプログラム製品。
【請求項２６】
前記ヒステリシス干渉情報を取得することを前記コンピュータに行わせるための前記プログラムコードは、測定報告の一部として前記１つまたは複数のＵＥから前記ヒステリシス干渉情報を受信することを前記コンピュータに行わせるためのプログラムコードを含む、請求項２３に記載のコンピュータプログラム製品。
【請求項２７】
前記基地局によって、前記ヒステリシス干渉情報に基づいて前記基地局と前記少なくとも１つの近隣基地局との間の１つまたは複数のタイミングオフセットを決定することを前記コンピュータに行わせるためのプログラムコードをさらに含み、
前記制御シグナリングは、さらに、前記１つまたは複数のタイミングオフセットに基づいて生成される、
請求項２３に記載のコンピュータプログラム製品。
【請求項２８】
前記基地局によって、ＷｉＦｉ送信を有する少なくとも１つの近隣ＷｉＦｉ基地局に関連する前記ヒステリシス干渉情報を識別することを前記コンピュータに行わせるためのプログラムコードをさらに含み、
前記制御シグナリングは、さらに、前記少なくとも１つの近隣ＷｉＦｉ基地局に関連する前記ヒステリシス干渉情報に基づいて生成される、
請求項２３に記載のコンピュータプログラム製品。
【発明の詳細な説明】
【優先権の主張】
【０００１】
関連出願の相互参照
本出願は、それらの全体が参照により本明細書に明確に組み込まれる、２０１３年１２月１３日に出願された「ＣＳＩ  ＦＥＥＤＢＡＣＫ  ＩＮ  ＬＴＥ／ＬＴＥ−ＡＤＶＡＮＣＥＤ  ＳＹＳＴＥＭＳ  ＷＩＴＨ  ＵＮＬＩＣＥＮＳＥＤ  ＳＰＥＣＴＲＵＭ」と題する米国仮特許出願第６１／９１６，００１号、および２０１４年１２月９日に出願された「ＣＳＩ  ＦＥＥＤＢＡＣＫ  ＩＮ  ＬＴＥ／ＬＴＥ−ＡＤＶＡＮＣＥＤ  ＳＹＳＴＥＭＳ  ＷＩＴＨ  ＵＮＬＩＣＥＮＳＥＤ  ＳＰＥＣＴＲＵＭ」と題する米国実用特許出願第１４／５６５，０６３号の利益を主張する。
【技術分野】
【０００２】
本開示の態様は、一般にワイヤレス通信システムに関し、より詳細には、無認可スペクトルを含むロングタームエボリューション（ＬＴＥ）およびＬＴＥアドバンスト（ＬＴＥ−Ａ）通信システムのためのチャネル状態情報（ＣＳＩ：channel state information）フィードバックプロセスに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例は、ユニバーサル地上波無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイルフォン技術である、ユニバーサルモバイルテレコミュニケーションシステム（ＵＭＴＳ）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、ならびに／またはＵＥからアップリンク上でデータおよび制御情報を受信し得る。ダウンリンク上では、基地局からの送信は、隣接基地局からの送信、または他のワイヤレス無線周波数（ＲＦ）送信機からの送信による干渉に遭遇することがある。アップリンク上では、ＵＥからの送信は、隣接基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信でのユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、基地局によって、複数の近隣基地局についてのクリアチャネルアセスメント（ＣＣＡ：clear channel assessment）結果情報を取得することと、基地局によって、基地局によってサービスされる１つまたは複数のＵＥについての制御シグナリングを生成すること、ここにおいて、制御シグナリングはＣＣＡ結果情報に少なくとも部分的に基づき、と、１つまたは複数のＵＥに制御シグナリングを送信することとを含む。
【０００８】
[0008]本開示の追加の態様では、ＵＥによって、複数の近隣基地局についてのＣＣＡ結果情報を示す送信信号を検出することと、ＵＥによって、ＣＣＡ結果情報を示す送信信号に基づいて複数の近隣基地局についてのＣＣＡ結果情報推定値を決定することと、ＵＥによって、サービング基地局に測定報告を送信すること、ここにおいて、測定報告はＣＣＡ結果情報推定値を含み、と、を含むワイヤレス通信の方法。
【０００９】
[0009]本開示の追加の態様では、ワイヤレス通信のために構成された装置は、基地局によって、複数の近隣基地局についてのＣＣＡ結果情報を取得するための手段と、基地局によって、基地局によってサービスされる１つまたは複数のＵＥについての制御シグナリングを生成するための手段、ここにおいて、制御シグナリングはＣＣＡ結果情報に少なくとも部分的に基づき、と、１つまたは複数のＵＥに制御シグナリングを送信するための手段とを含む。
【００１０】
[0010]本開示の追加の態様では、ＵＥによって、複数の近隣基地局についてのＣＣＡ結果情報を示す送信信号を検出するための手段と、ＵＥによって、ＣＣＡ結果情報を示す送信信号に基づいて複数の近隣基地局についてのＣＣＡ結果情報推定値を決定するための手段と、ＵＥによって、サービング基地局に測定報告を送信するための手段、ここにおいて、測定報告はＣＣＡ結果情報推定値を含む、とを含むワイヤレス通信のために構成された装置。
【００１１】
[0011]本開示の追加の態様では、コンピュータプログラム製品は、プログラムコードを記録したコンピュータ可読媒体を有する。このプログラムコードは、基地局によって、複数の近隣基地局についてのＣＣＡ結果情報を取得するためのコードと、基地局によって、基地局によってサービスされる１つまたは複数のＵＥについての制御シグナリングを生成するためのコード、ここにおいて、制御シグナリングはＣＣＡ結果情報に少なくとも部分的に基づく、と、１つまたは複数のＵＥに制御シグナリングを送信するためのコードとを含む。
【００１２】
[0012]本開示の追加の態様では、コンピュータプログラム製品は、プログラムコードを記録したコンピュータ可読媒体を有する。このプログラムコードは、ＵＥによって、複数の近隣基地局についてのＣＣＡ結果情報を示す送信信号を検出するためのコードと、ＵＥによって、ＣＣＡ結果情報を示す送信信号に基づいて複数の近隣基地局についてのＣＣＡ結果情報推定値を決定するためのコードと、ＵＥによって、サービング基地局に測定報告を送信するためのコード、ここにおいて、測定報告がＣＣＡ結果情報推定値を含む、とを含む。
【００１３】
[0013]本開示の追加の態様では、装置は、少なくとも１つのプロセッサと、プロセッサに結合されたメモリとを含む。プロセッサは、基地局によって、複数の近隣基地局についてのＣＣＡ結果情報を取得することと、基地局によって、基地局によってサービスされる１つまたは複数のＵＥについての制御シグナリングを生成すること、ここにおいて、制御シグナリングがＣＣＡ結果情報に少なくとも部分的に基づく、と、１つまたは複数のＵＥに制御シグナリングを送信することとを行うように構成される。
【００１４】
[0014]本開示の追加の態様では、装置は、少なくとも１つのプロセッサと、プロセッサに結合されたメモリとを含む。プロセッサは、ＵＥによって、複数の近隣基地局についてのＣＣＡ結果情報を示す送信信号を検出することと、ＵＥによって、ＣＣＡ結果情報を示す送信信号に基づいて複数の近隣基地局についてのＣＣＡ結果情報推定値を決定することと、ＵＥによって、サービング基地局に測定報告を送信すること、ここにおいて、測定報告がＣＣＡ結果情報推定値を含む、とを行うように構成される。
【図面の簡単な説明】
【００１５】
【図１】様々な実施形態による、ワイヤレス通信システムの一例を示す図。
【図２Ａ】様々な実施形態による、無認可スペクトルにおいてＬＴＥを使用するための展開シナリオの例を示す図。
【図２Ｂ】様々な実施形態による、無認可スペクトルにおいてＬＴＥを使用するための展開シナリオの別の例を示す図。
【図３】様々な実施形態による、認可スペクトルおよび無認可スペクトル中で同時にＬＴＥを使用するときのキャリアアグリゲーションの一例を示す図。
【図４】本開示の一態様に従って構成された基地局／ｅＮＢおよびＵＥの設計を示すブロック図。
【図５Ａ】本開示の態様を実装するために実行される例示的なブロックを示す機能ブロック図。
【図５Ｂ】本開示の態様を実装するために実行される例示的なブロックを示す機能ブロック図。
【図６Ａ】本開示の態様を示すネットワークシナリオを示すブロック図。
【図６Ｂ】本開示の態様を示すネットワークシナリオを示すブロック図。
【図６Ｃ】本開示の態様を示すネットワークシナリオを示すブロック図。
【発明を実施するための形態】
【００１６】
[0022]添付の図面に関して以下に記載する詳細な説明は、様々な構成を説明するものであり、本開示の範囲を限定するものではない。むしろ、この詳細な説明は、本発明の主題の完全な理解を与えるための具体的な詳細を含む。これらの具体的な詳細は、あらゆる場合において必要とされるとは限らないこと、および場合によっては、よく知られている構造および構成要素は、提示の明快さのためにブロック図の形式で示されることが、当業者には明らかであろう。
【００１７】
[0023]事業者（オペレータoperators）は、セルラーネットワークにおいて常に増大する混雑のレベルを緩和するために無認可スペクトルを使用するための主なメカニズムとして、これまでＷｉＦｉ（登録商標）に注目してきた。しかしながら、無認可スペクトルを含むＬＴＥ／ＬＴＥ−Ａに基づくニューキャリアタイプ（ＮＣＴ）は、キャリア階層のＷｉＦｉと互換性があり得、それにより、無認可スペクトルを用いたＬＴＥ／ＬＴＥ−ＡはＷｉＦｉの代替になる。無認可スペクトルを用いたＬＴＥ／ＬＴＥ−Ａは、ＬＴＥの概念を活用し得、無認可スペクトルにおいて効率的な運用をもたらし規制上の要件を満たすために、ネットワークまたはネットワークデバイスの物理レイヤ（ＰＨＹ）およびメディアアクセス制御（ＭＡＣ）の態様にいくつかの修正を加え得る。無認可スペクトルは、たとえば、６００メガヘルツ（ＭＨｚ）から６ギガヘルツ（ＧＨｚ）までわたり得る。いくつかのシナリオでは、無認可スペクトルを用いたＬＴＥ／ＬＴＥ−Ａは、ＷｉＦｉよりも著しく良好に働き得る。たとえば、すべてのＷｉＦｉ展開と比較して、（単一または複数の事業者のための）無認可スペクトルを用いたすべてのＬＴＥ／ＬＴＥ−Ａ展開、または高密度な小さいセルの展開が存在する場合、無認可スペクトルを用いたＬＴＥ／ＬＴＥ−ＡはＷｉＦｉよりも著しく良好に働き得る。無認可スペクトルを用いたＬＴＥ／ＬＴＥ−Ａは、無認可スペクトルを用いたＬＴＥ／ＬＴＥ−Ａが（単一または複数の事業者のために）ＷｉＦｉと混合されるときなど、他のシナリオにおいてＷｉＦｉよりも良好に働き得る。
【００１８】
[0024]単一のサービスプロバイダ（ＳＰ）にとって、無認可スペクトルを用いたＬＴＥ／ＬＴＥ−Ａネットワークは、認可スペクトル上でＬＴＥネットワークと同期しているように構成され得る。しかしながら、複数のＳＰによって所与のチャネル上で展開される無認可スペクトルを用いたＬＴＥ／ＬＴＥ−Ａネットワークは、複数のＳＰにわたって同期しているように構成され得る。上記の特徴の両方を組み込むための１つの手法は、所与のＳＰのために、無認可スペクトルを用いないＬＴＥ／ＬＴＥ−Ａネットワークと、無認可スペクトルを用いたＬＴＥ／ＬＴＥ−Ａネットワークとの間で、一定のタイミングオフセットを使用することを伴い得る。無認可スペクトルを用いたＬＴＥ／ＬＴＥ−Ａネットワークは、ＳＰの必要性に従ってユニキャストおよび／またはマルチキャストサービスを提供し得る。その上、無認可スペクトルを用いたＬＴＥ／ＬＴＥ−Ａネットワークは、ＬＴＥセルが、無認可スペクトルを用いたＬＴＥ／ＬＴＥ−Ａセルのためにアンカーとして働き、関連するセル情報（たとえば、無線フレームタイミング、共通チャネル構成、システムフレーム番号またはＳＦＮなど）を与える、ブートストラップモードで動作し得る。このモードでは、無認可スペクトルを用いないＬＴＥ／ＬＴＥ−Ａと無認可スペクトルを用いたＬＴＥ／ＬＴＥ−Ａとの間に、密接な相互作用が存在し得る。たとえば、ブートストラップモードは、上記で説明した補助ダウンリンクモードとキャリアアグリゲーションモードとをサポートし得る。無認可スペクトルを用いたＬＴＥ／ＬＴＥ−ＡネットワークのＰＨＹ−ＭＡＣレイヤは、無認可スペクトルを用いたＬＴＥ／ＬＴＥ−Ａネットワークが、無認可スペクトルを用いないＬＴＥネットワークとは無関係に動作する、スタンドアロンモードで動作し得る。この場合、たとえば、コロケートされた、無認可スペクトルを用いた／用いないＬＴＥ／ＬＴＥ−Ａセルを用いたＲＬＣレベルのアグリゲーション、あるいは複数のセルおよび／または基地局にわたるマルチフローに基づいて、無認可スペクトルを用いないＬＴＥと無認可スペクトルを用いたＬＴＥ／ＬＴＥ−Ａとの間に緩い相互作用が存在し得る。
【００１９】
[0025]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法は、ＬＴＥ適用例以外に適用可能である。
【００２０】
[0026]したがって、以下の説明は、例を与えるものであり、特許請求の範囲に記載された範囲、適用可能性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００２１】
[0027]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２２】
[0028]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術について重複するカバレージエリアがあり得る。
【００２３】
[0029]いくつかの実施形態では、システム１００は、１つまたは複数の無認可スペクトル動作モードまたは展開シナリオをサポートするＬＴＥ／ＬＴＥ−Ａネットワークである。他の実施形態では、システム１００は、無認可スペクトルと、無認可スペクトルを用いたＬＴＥ／ＬＴＥ−Ａとは異なる接続技術とを使用して、または認可スペクトルと、ＬＴＥ／ＬＴＥ−Ａとは異なる接続技術とを使用して、ワイヤレス通信をサポートし得る。それぞれ基地局１０５およびデバイス１１５について説明するために、発展型ノードＢ（ｅＮＢ）およびユーザ機器（ＵＥ）という用語が概して使用され得る。システム１００は、異なるタイプのｅＮＢが様々な地理的領域にカバレージを与える、無認可スペクトルを用いたまたは用いない異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２４】
[0030]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）、直接的または間接的に、互いに通信し得る。システム１００は同期動作または非同期動作をサポートし得る。同期動作の場合、ｅＮＢは同様のフレームタイミングおよび／またはゲーティングタイミングを有し得、異なるｅＮＢからの送信は時間的にほぼ整合され（aligned）得る。非同期動作の場合、ｅＮＢは異なるフレームタイミングおよび／またはゲーティングタイミングを有し得、異なるｅＮＢからの送信は時間的に整合されない場合がある。本明細書で説明する技法は、同期動作または非同期動作のいずれにも使用され得る。
【００２５】
[0031]ＵＥ１１５はシステム１００全体にわたって分散され、各ＵＥは固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２６】
[0032]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。ダウンリンク送信は、認可スペクトル（たとえば、ＬＴＥ）、無認可スペクトル（たとえば、無認可スペクトルを用いたＬＴＥ／ＬＴＥ−Ａ）、または両方（たとえば、無認可スペクトルを用いた／用いないＬＴＥ／ＬＴＥ−Ａ）を使用して行われ得る。同様に、アップリンク送信は、認可スペクトル（たとえば、ＬＴＥ）、無認可スペクトル（たとえば、無認可スペクトルを用いたＬＴＥ／ＬＴＥ−Ａ）、または両方（無認可スペクトルを用いた／用いないＬＴＥ／ＬＴＥ−Ａ）を使用して行われ得る。
【００２７】
[0033]システム１００のいくつかの実施形態では、無認可スペクトルを用いたＬＴＥ／ＬＴＥ−Ａのための様々な展開シナリオは、認可スペクトル中のＬＴＥダウンリンク容量が無認可スペクトルにオフロードされ得る補助ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンク通信およびＬＴＥアップリンク通信が無認可スペクトル中で行われ得るスタンドアロンモードとを含んでサポートされ得る。基地局１０５ならびにＵＥ１１５は、これらまたは同様の動作モードのうちの１つまたは複数をサポートし得る。無認可スペクトル中でのＬＴＥダウンリンク送信のために通信リンク１２５中でＯＦＤＭＡ通信信号が使用され得、一方、無認可スペクトル中でのＬＴＥアップリンク送信のために通信リンク１２５中でＳＣ−ＦＤＭＡ通信信号が使用され得る。システム１００などのシステムにおける、無認可スペクトルの展開シナリオまたは動作モードを用いたＬＴＥ／ＬＴＥ−Ａの実装形態に関するさらなる詳細、ならびに無認可スペクトルを用いたＬＴＥ／ＬＴＥ−Ａの動作に関係する他の特徴および機能を、図２Ａ〜図６Ｃを参照しながら以下に与える。
【００２８】
[0034]次に図２Ａを参照すると、図２００は、無認可スペクトルを用いたＬＴＥ／ＬＴＥ−ＡをサポートするＬＴＥネットワークのための補助ダウンリンクモードとキャリアアグリゲーションモードとの例を示す。図２００は、図１のシステム１００の部分の一例であり得る。その上、基地局１０５−ａは図１の基地局１０５の一例であり得、ＵＥ１１５−ａは図１のＵＥ１１５の例であり得る。
【００２９】
[0035]図２００における補助ダウンリンクモードの例では、基地局１０５−ａは、ダウンリンク２０５を使用してＵＥ１１５−ａにＯＦＤＭＡ通信信号を送信し得る。ダウンリンク２０５は、無認可スペクトル中の周波数Ｆ１に関連付けられる。基地局１０５−ａは、双方向リンク２１０を使用して同じＵＥ１１５−ａにＯＦＤＭＡ通信信号を送信し得、双方向リンク２１０を使用してそのＵＥ１１５−ａからＳＣ−ＦＤＭＡ通信信号を受信し得る。双方向リンク２１０は、認可スペクトル中の周波数Ｆ４に関連付けられる。無認可スペクトル中のダウンリンク２０５、および認可スペクトル中の双方向リンク２１０は、同時に動作し得る。ダウンリンク２０５は、基地局１０５−ａにダウンリンク容量オフロードを与え得る。いくつかの実施形態では、ダウンリンク２０５は、（たとえば、１つのＵＥに宛てられた）ユニキャストサービスのサービスのために、または（たとえば、いくつかのＵＥに宛てられた）マルチキャストサービスのために使用され得る。このシナリオは、認可スペクトルを使用しトラフィックおよび／またはシグナリング輻輳の一部を緩和する必要があるどんなサービスプロバイダ（たとえば、従来のモバイルネットワーク事業者すなわちＭＮＯ）でも起こり得る。
【００３０】
[0036]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は、無認可スペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は、認可スペクトル中の周波数Ｆ２に関連付けられる。双方向リンク２１５は、基地局１０５−ａにダウンリンクおよびアップリンク容量オフロードを与え得る。上記で説明した補助ダウンリンクと同様に、このシナリオは、認可スペクトルを使用しトラフィックおよび／またはシグナリング輻輳の一部を緩和する必要があるどんなサービスプロバイダ（たとえば、ＭＮＯ）でも起こり得る。
【００３１】
[0037]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は、無認可スペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は、認可スペクトル中の周波数Ｆ２に関連付けられる。双方向リンク２２５は、基地局１０５−ａにダウンリンクおよびアップリンク容量オフロードを与え得る。この例および上記に与えた例は説明の目的で提示されたものであり、容量オフロードのために無認可スペクトルを用いたＬＴＥ／ＬＴＥ−Ａと無認可スペクトルを用いないＬＴＥ／ＬＴＥ−Ａとを組み合わせる他の同様の動作モードまたは展開シナリオがあり得る。
【００３２】
[0038]上記で説明したように、無認可スペクトルを用いたＬＴＥ／ＬＴＥ−Ａを使用することによって提供される容量オフロードから利益を得ることができる典型的なサービスプロバイダは、ＬＴＥスペクトルを用いた従来のＭＮＯである。これらのサービスプロバイダでは、動作構成は、認可スペクトル上でＬＴＥ１次コンポーネントキャリア（ＰＣＣ）を使用し無認可スペクトル上でＬＴＥ２次コンポーネントキャリア（ＳＣＣ）を使用するブートストラップモード（たとえば、補助ダウンリンク、キャリアアグリゲーション）を含み得る。
【００３３】
[0039]補助ダウンリンクモードでは、無認可スペクトルを用いたＬＴＥ／ＬＴＥ−Ａのための制御は、ＬＴＥアップリンク（たとえば、双方向リンク２１０のアップリンク部分）を介してトランスポートされ得る。ダウンリンク容量オフロードを与える理由の１つは、データ需要がダウンリンク消費によって大きく動かされるからである。その上、このモードでは、ＵＥは無認可スペクトル中で送信していないので、規制上の影響がないことがある。ＵＥ上でリッスンビフォアトーク（ＬＢＴ：listen-before-talk）またはキャリア検知多重アクセス（ＣＳＭＡ：carrier sense multiple access）要件を実装する必要はない。ただし、ＬＢＴは、たとえば、周期的な（たとえば、１０ミリ秒ごとの）クリアチャネルアセスメント（ＣＣＡ）および／または無線フレーム境界に整合されたグラブアンドリリンキッシュ（grab-and-relinquish）機構を使用することによって基地局（たとえば、ｅＮＢ）上で実装され得る。
【００３４】
[0040]キャリアアグリゲーションモードでは、データおよび制御がＬＴＥ（たとえば、双方向リンク２１０、２２０、および２３０）で通信され得、データが、無認可スペクトルを用いたＬＴＥ／ＬＴＥ−Ａ（たとえば、双方向リンク２１５および２２５）で通信され得る。無認可スペクトルを用いたＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの下に入り得る。
【００３５】
[0041]図２Ｂは、無認可スペクトルを用いたＬＴＥ／ＬＴＥ−Ａのためのスタンドアロンモードの一例を示す図２００−ａを示す。図２００−ａは、図１のシステム１００の部分の一例であり得る。その上、基地局１０５−ｂは図１の基地局１０５と図２Ａの基地局１０５−ａとの一例であり得、ＵＥ１１５−ｂは図１のＵＥ１１５と図２ＡのＵＥ１１５−ａとの一例であり得る。
【００３６】
[0042]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａを参照しながら上記で説明した無認可スペクトル中の周波数Ｆ３に関連付けられる。スタンドアロンモードは、スタジアム中アクセス（たとえば、ユニキャスト、マルチキャスト）など、非従来型ワイヤレスアクセスシナリオにおいて使用され得る。この動作モードの典型的なサービスプロバイダは、認可スペクトルを有しないスタジアムオーナー、ケーブル会社、イベントホスト、ホテル、企業、および大会社であり得る。これらのサービスプロバイダのために、スタンドアロンモードのための動作構成は無認可スペクトル上でＰＣＣを使用し得る。その上、ＬＢＴが基地局とＵＥの両方の上に実装され得る。
【００３７】
[0043]次に図３を参照すると、図３００は、様々な実施形態による、認可スペクトルおよび無認可スペクトル中で同時にＬＴＥを使用するときのキャリアアグリゲーションの一例を示す。図３００のキャリアアグリゲーション方式は、図２Ａを参照しながら上記で説明したハイブリッドＦＤＤ−ＴＤＤキャリアアグリゲーションに対応し得る。このタイプのキャリアアグリゲーションは、図１のシステム１００の少なくとも部分において使用され得る。その上、このタイプのキャリアアグリゲーションは、それぞれ図１および図２Ａの基地局１０５および１０５−ａにおいて、ならびに／またはそれぞれ図１および図２ＡのＵＥ１１５および１１５−ａにおいて使用され得る。
【００３８】
[0044]この例では、ダウンリンクにおけるＬＴＥに関してＦＤＤ（ＦＤＤ−ＬＴＥ）が実施され得、無認可スペクトルを用いたＬＴＥ／ＬＴＥ−Ａに関して第１のＴＤＤ（ＴＤＤ１）が実施され得、認可スペクトルを用いたＬＴＥに関して第２のＴＤＤ（ＴＤＤ２）が実施され得、認可スペクトルを用いたアップリンクにおけるＬＴＥに関して別のＦＤＤ（ＦＤＤ−ＬＴＥ）が実施され得る。ＴＤＤ１は６：４のＤＬ：ＵＬ比を生じるが、ＴＤＤ２の比は７：３である。時間スケール上で、異なる実効ＤＬ：ＵＬ比は、３：１、１：３、２：２、３：１、２：２、および３：１である。この例は説明の目的で提示されたものであり、無認可スペクトルを用いたＬＴＥ／ＬＴＥ−Ａの動作と無認可スペクトルを用いないＬＴＥ／ＬＴＥ−Ａの動作とを組み合わせる他のキャリアアグリゲーション方式があり得る。
【００３９】
[0045]図４は、図１の基地局／ｅＮＢのうちの１つであり得る基地局／ｅＮＢ１０５と、図１のＵＥのうちの１つであり得るＵＥ１１５との設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）などのためのものであり得る。データは物理ダウンリンク共有チャネル（ＰＤＳＣＨ）などのためのものであり得る。送信プロセッサ４２０は、データと制御情報とを処理（たとえば、符号化およびシンボルマッピング）して、それぞれデータシンボルと制御シンボルとを取得し得る。送信プロセッサ４２０はまた、たとえば、１次同期信号（ＰＳＳ）、２次同期信号（ＳＳＳ）、およびセル固有基準信号のために、基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実施し得、出力シンボルストリームを変調器（ＭＯＤ）４３２ａ〜４３２ｔに与え得る。各変調器４３２は、（たとえば、ＯＦＤＭなどのために）それぞれの出力シンボルストリームを処理して、出力サンプルストリームを取得し得る。各変調器４３２は、出力サンプルストリームをさらに処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００４０】
[0046]ＵＥ１１５において、アンテナ４５２ａ〜４５２ｒは、ｅＮＢ１０５からダウンリンク信号を受信し得、受信信号をそれぞれ復調器（ＤＥＭＯＤ）４５４ａ〜４５４ｒに与え得る。各復調器４５４は、それぞれの受信信号を調整（たとえば、フィルタ処理、増幅、ダウンコンバート、およびデジタル化）して、入力サンプルを取得し得る。各復調器４５４は、（たとえば、ＯＦＤＭなどのために）入力サンプルをさらに処理して、受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実施し、検出シンボルを与え得る。受信プロセッサ４５８は、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００４１】
[0047]アップリンク上では、ＵＥ１１５において、送信プロセッサ４６４は、データソース４６２から（たとえば、物理アップリンク共有チャネル（ＰＵＳＣＨ）のための）データを受信し、処理し得、コントローラ／プロセッサ４８０から（たとえば、物理アップリンク制御チャネル（ＰＵＣＣＨ）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、（たとえば、ＳＣ−ＦＤＭなどのために）復調器４５４ａ〜４５４ｒによってさらに処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、受信プロセッサ４３８によってさらに処理されて、ＵＥ１１５によって送られた復号されたデータおよび制御情報が取得され得る。プロセッサ４３８は、復号されたデータをデータシンク４３９に与え、復号された制御情報をコントローラ／プロセッサ４４０に与え得る。
【００４２】
[0048]コントローラ／プロセッサ４４０および４８０は、それぞれｅＮＢ１０５における動作およびＵＥ１１５における動作を指示し得る。ｅＮＢ１０５におけるコントローラ／プロセッサ４４０ならびに／または他のプロセッサおよびモジュールは、本明細書で説明する技法のための様々なプロセスを実施するか、またはその実行を指示し得る。ＵＥ１１５におけるコントローラ／プロセッサ４８０ならびに／または他のプロセッサおよびモジュールはまた、図５Ａおよび図５Ｂに示された機能ブロック、および／または本明細書で説明する技法のための他のプロセスを実施するか、またはその実行を指示し得る。メモリ４４２および４８２は、それぞれｅＮＢ１０５およびＵＥ１１５のためのデータおよびプログラムコードを記憶し得る。スケジューラ４４４は、ダウンリンク上および／またはアップリンク上でのデータ送信のためにＵＥをスケジュールし得る。
【００４３】
[0049]ＬＴＥ／ＬＴＥ−Ａを無認可スペクトルに拡張する際に、ＬＢＴ要件などの様々な追加の制約が、無認可スペクトル上の非保証型送信という結果になる。そのような制約がある場合、無認可スペクトルを用いたＬＴＥ／ＬＴＥ−Ａシステムでは、概して、ＣＳＩフィードバックについての、および高速フィードバック動作における考察が行われ得る。そのようなシステムでは、チャネル情報または干渉情報が高速フィードバックにとってより望ましいかどうかに関する疑問が生じ得る。
【００４４】
[0050]現在のＬＴＥ／ＬＴＥ−Ａシステムでは、ＣＳＩフィードバックは雑音推定のための参照サブフレームに基づき得、これにおいて、参照サブフレームは式ｎ−Ｍに従って識別され、ここで、ｎは現在のサブフレームを表し、Ｍは、参照サブフレームが位置する現在のサブフレームより前のサブフレームの数を表す。たとえば、典型的なＬＴＥ／ＬＴＥ−Ａシステムでは、Ｍ＝４つまたは５つのサブフレームである。また、チャネル状態ＣＳＩフィードバックのためのチャネル推定値は、現在のシステムでは制約なしチャネル測定値を用いて決定され得る。
【００４５】
[0051]ＵＥにおいてＣＳＩフィードバックを計算するために、ＣＳＩフィードバックブロックは、チャネル推定値および雑音推定値という２つの入力を受信する。送信モード３または４（ＴＭ３／ＴＭ４）などにおける高速ＣＳＩフィードバックでは、周期的あるいは広帯域制約におけるＣＳＩ報告は、ハードウェア実装形態において生成されるときは約２０μｓのオーバーヘッドで生成されるか、またはソフトウェア実装形態を使用して生成されるときは３０μｓのオーバーヘッドで生成され得る。
【００４６】
[0052]述べたように、無認可スペクトルを用いたＬＴＥ／ＬＴＥ−Ａシステムは、チャネル状態と干渉状態の両方についていくつかの新しい考慮事項をもたらす。無認可スペクトルを用いたＬＴＥ／ＬＴＥ−Ａシステムは、様々な追加の干渉源に遭遇し得る。たとえば、干渉は、同じまたは「サービング」事業者からの無認可信号から発生し得る。１つの事業者内の同期動作を仮定すると、この干渉はｅＮＢまたはＵＥあるいはその両方から発生し得る。異なる事業者からの無認可信号も干渉を生じ得、異なる事業者から発生するそのような干渉信号は、同期されないことがある。さらに、ＷｉＦｉ信号からの干渉に遭遇し得る。干渉するＷｉＦｉ信号は、無認可スペクトルを用いたＬＴＥ／ＬＴＥ−Ａシステムに関して非同期であり得る。しかし、そのようなＷｉＦｉ信号は、無認可スペクトル成分を用いたＬＴＥ／ＬＴＥ−ＡシステムとＷｉＦｉデバイスとの間の相互作用に応じて、無認可スペクトルを用いたＬＴＥ／ＬＴＥ−Ａシステムに影響を及ぼさないことがある。
【００４７】
[0053]干渉源の違いに加えて、無認可スペクトルを用いたＬＴＥ／ＬＴＥ−Ａシステムは、新しい干渉パターンを導入する。ＬＢＴ手順は、より多くの変量を干渉パターンに導入し得る。したがって、いくつかの干渉パターンは、各ＬＢＴフレームのＣＣＡステータスの同時配布（joint distribution）に依存し得る。この場合も、干渉は同じ／サービング事業者または異なる事業者のいずれかから発生し得る。これは、ＬＢＴ手順と非保証型送信とによって引き起こされるトラフィックパターンの変動に加えて起こる。
【００４８】
[0054]無認可スペクトルを用いたＬＴＥ／ＬＴＥ−Ａネットワーク中に存在する干渉の追加の源およびパターンに対処するために、本開示の様々な態様は、同じ事業者からの干渉であるか、異なる事業者からの干渉であるか、ＷｉＦｉ送信からの干渉であるかどうかを、チャネル状態情報（ＣＳＩ）を計算するときに干渉源の間で区別するように構成される。変化するチャネル状態に適応するために制御シグナリングを生成するとき、基地局は、近隣基地局のＣＣＡ結果の知識を使用し、ならびに、現在の干渉状態を反映するだけでなくいくつかの送信またはＬＢＴサブフレームにわたって遭遇される干渉をも含む干渉の計算を使用し得る。そのような干渉情報は、それが現在および履歴の両方の干渉値および確率に依存するので、本明細書ではヒステリシス（hysteretic）干渉情報と呼ぶ。基地局は、そのようなＣＣＡ結果情報と、ヒステリシス干渉情報と、基地局によって決定されるか、バックホールを介してネイバー基地局から直接受信されるか、あるいは被サービスＵＥからの測定報告において受信されるそのようなものの任意の組合せとに基づいて、そのような制御シグナリングを生成する。
【００４９】
[0055]図５Ａは、本開示の一態様を実装するために基地局において実行される例示的なブロックを示す機能ブロック図である。ブロック５００において、基地局１０５（図４）などの基地局は、複数の近隣基地局についてのＣＣＡ結果情報を取得する。このＣＣＡ結果情報は、近隣基地局が同じモバイルネットワーク事業者（ＭＮＯ）によって動作されるとき、バックホールを介してそのような近隣基地局から直接取得され得る。ＣＣＡ結果情報はまた、ＣＣＡクリアランスが近隣基地局によって取得されたときにそれらの近隣基地局から送信され得るチャネル使用ビーコン信号（ＣＵＢＳ：channel usage beacon signal）およびチャネル状態情報基準信号（ＣＳＩ−ＲＳ：channel state information reference signal）など、ＣＣＡ結果を示す送信信号についてリッスンしそれを検出することに基づいて推定または決定され得る。推定されるＣＣＡ結果情報は、基地局によって、またはサービング基地局に送信される測定報告中にこの情報を含める様々な被サービスＵＥによって決定され得る。
【００５０】
[0056]ブロック５０１において、基地局は、ＣＣＡ結果情報を使用してそれの被サービスＵＥのうちの１つまたは複数についての制御シグナリングを生成する。基地局１０５などの基地局が、いくつかの送信フレームにわたる近隣基地局のＣＣＡ結果の確率を含み得るＣＣＡ結果情報を知っているとき、基地局は、近隣基地局に起因し得る何らかの干渉に適応するかまたはそれを処理するために、ＵＥについて適切な制御信号をインテリジェントに選択し得る。たとえば、ＣＣＡ結果情報の知識を用いて、基地局は、被サービスＵＥの各々のために好適な変調コーディング方式（ＭＣＳ）を選択し得る。制御シグナリングが生成されると、次いで、ブロック５０２において、基地局は、生成された制御シグナリングを適切なＵＥに送信する。
【００５１】
[0057]図５Ｂは、本開示の一態様を実装するためにＵＥによって実行される例示的なブロックを示す機能ブロック図である。ブロック５０３において、ＵＥは、複数の近隣基地局についてのＣＣＡ結果情報を示す送信信号を検出する。送信エンティティがクリアＣＣＡを検出したとき、送信エンティティは、概して、ＣＵＢＳを使用して、クリアにされたチャネル上で直ちに送信し始める。さらに、基地局が、成功したＣＣＡチェック（検査）でチャネルをクリアしたとき、基地局と特定のＵＥとの間の通信を制御するためのＣＳＩフィードバックを取得するために、ＣＳＩ−ＲＳ信号が被サービスＵＥに送信される。
【００５２】
[0058]ブロック５０４において、ＵＥは、ＣＣＡ結果情報を示す送信信号に基づいて近隣基地局についてのＣＣＡ結果情報推定値を決定する。ＵＥ１１５などのＵＥは、近隣基地局についてのＣＣＡ結果確率を推論または推定するために現在のフレームにわたってまたは複数の送信フレームにわたって、たとえば、ＣＵＢＳ、ＣＳＩ−ＲＳなどの信号を検出し得る。
【００５３】
[0059]ブロック５０５において、ＵＥは、それのサービング基地局に測定報告を送信し、ここにおいて、測定報告はＣＣＡ結果情報推定値を含む。ＣＣＡ結果情報がＵＥによって推定されると、ＵＥは、サービング基地局への測定報告中にその情報を含め得る。サービング基地局は、次いで、無認可スペクトルを用いたＬＴＥ／ＬＴＥ−Ａ通信から生じる追加の干渉に関してその情報を使用して、さらなるＵＥ通信について適切な制御シグナリングを生成し、割り当て得る。
【００５４】
[0060]無認可スペクトルを使用するＬＴＥ／ＬＴＥ−Ａネットワークの展開は、複数の潜在的源からの様々な干渉パターンを提供するので、すべてのネイバーが同じＭＮＯ内にあるネットワークのロケーション、あるいは他のＭＮＯ基地局から非同期的に動作し得る他のＭＮＯによって動作される基地局をネイバーが含み得る他のロケーション、および専用ＷｉＦｉロケーションにおいてまたは異なるＷｉＦｉ対応デバイスがアドホック様式で送信し始めるときにＷｉＦｉ送信が起こり得るロケーションの間で、様々なシナリオに遭遇し得る。
【００５５】
[0061]図６Ａは、無認可スペクトルを含むＬＴＥ／ＬＴＥ−Ａネットワークのネットワークロケーション６０を示すブロック図である。ネットワークロケーション６０は、カバレージエリア６０１ｃ〜６０３ｃをそれぞれ有するｅＮＢ６０１〜６０３を含む。ｅＮＢ６０１〜６０３は、バックホール６０７を介して互いに通信する。ネットワークロケーション６０はまた、カバレージエリア６０４ｃをもつ小さいｅＮＢ６０４を反映している。ｅＮＢ６０１〜６０３および小さいｅＮＢ６０４は、同じＭＮＯによってそれぞれ動作され、互いに同期している。ＵＥ６００、６０５および６０６など、様々なユーザ機器がネットワークロケーション６０内に位置し、それぞれｅＮＢ６０１〜６０３および小さいｅＮＢ６０４によってサービスされる。
【００５６】
[0062]無認可スペクトルが展開されるＬＴＥ／ＬＴＥ−Ａネットワークでは、干渉源は、同じ事業者（「サービング」事業者）内のネットワークエンティティからの信号で発生する。同じＭＮＯを用いると、干渉信号がｅＮＢから送信されるかＵＥから送信されるかその両方から送信されるかにかかわらず、同期した動作が仮定され得る。ネットワークロケーション６０中の各送信エンティティはリッスンビフォアトーク（ＬＢＴ）手順を使用するので、より多くの変動性が潜在的干渉パターンに導入される。たとえば、干渉パターンは、各ＬＢＴフレームのＣＣＡステータスの同時配布（joint distribution）に依存し得る。これは、トラフィックパターン変動に加えて起こる。たとえば、クリアＣＣＡステータスが取得されたとき、１つのクリアされたｅＮＢは、別のクリアされたｅＮＢのように送信すべき多くのデータを有しないことがあり、したがって、別のクリアされたｅＮＢよりも少数のサブフレームについて送信し得る。
【００５７】
[0063]無認可スペクトルを使用して送信するｅＮＢは、フェムト、ピコ、または他のリレー／小型セルタイプ基地局など、より小さいセルｅＮＢである可能性があり得ることに留意されたい。マクロ基地局は、通常、無認可スペクトル上の送信を使用し得ず、認可スペクトルを使用して送信する可能性がより高いであろう。しかし、本開示の様々な態様は、ＬＴＥ／ＬＴＥ−Ａ送信において無認可スペクトルを利用し得るｅＮＢまたは基地局のタイプに限定されない。
【００５８】
[0064]ＬＴＥ時分割複信（ＴＤＤ）システム関して、異なるｅＮＢは、異なるＴＤＤアップリンク（ＵＬ）／ダウンリンク（ＤＬ）サブフレーム構成を使用し得る。したがって、サブフレーム３における１つのネイバー基地局はダウンリンク動作のために構成され得るが、サブフレーム３における別のネイバーまたはサービング基地局は、異なるＵＬ／ＤＬサブフレーム構成を使用し、したがって、アップリンク動作のために構成される。この送信不整合（transmission mismatch）も干渉につながり得る。
【００５９】
[0065]サービングｅＮＢが近隣セルからのＣＣＡ決定を知っている場合、サービングｅＮＢは、近隣の干渉に対処するために被サービスＵＥについて制御シグナリングを選択し得る。たとえば、ｅＮＢ６０１が、近隣セル、ｅＮＢ６０２〜６０３および小さいｅＮＢ６０４からのＣＣＡ決定を知っている場合、ｅＮＢ６０１は、ＵＥ６００について適切なＭＣＳを選択し得る。別の例示的なオプションは、ｅＮＢ６０１が、パイロット信号のために直交復調基準信号（ＤＭ−ＲＳ）ポートを選択し、データの送信のために直交プリコーダを選択することであり得る。このＣＣＡ決定情報は、バックホール６０７を介してｅＮＢ６０２〜６０３から直接通信され得る。その上、ｅＮＢ６０２および６０３は支配的干渉を提供し得るので、各々は同じＬＢＴフレーム中にアクティブでないことがある。このように、複数のＬＢＴフレームにわたってｅＮＢ６０２および６０３のために複数のＣＳＩ仮定が使用され得る。
【００６０】
[0066]さらに、ｅＮＢ６０１は、ｅＮＢ６０２〜６０３と小さいｅＮＢ６０４とから検出されたＣＵＢＳまたはＣＳＩ−ＲＳに基づいて様々なＬＢＴフレームにわたって雑音推定値を合成し得る。ＣＣＡ応答情報を示すこれらの検出された送信に基づいて、ＣＣＡ応答確率が決定され得、ｅＮＢ６０１は、ＵＥ６００について適切な制御信号を生成するためにこのＣＣＡ応答確率を使用し得る。
【００６１】
[0067]複数の送信フレームまたはＬＢＴフレームにわたって生成されたとき、ＣＣＡ応答情報は「空間」分解能を失い得ることに留意されたい。すなわち、様々な干渉源の特定のロケーションおよび配向（orientations）は、特定の干渉ロケーションの代わりに、確率に平均化または正規化される。
【００６２】
[0068]本開示の追加の態様では、ｅＮＢ６０１が、ｅＮＢ６０２〜６０３および小さいｅＮＢ６０４などのそれの近隣セルから直接ＣＣＡ決定を受信しない場合、ｅＮＢ６０１は、ＵＥ６００のようなＵＥをスケジュールするために平均化されたＣＳＩに依拠し得る。たとえば、ＣＳＩ計算は、雑音推定値の支配的干渉についてＣＣＡ結果確率を考慮に入れ得る。そのようなＣＣＡ確率は、送信される場合、複数のＬＢＴフレーム中のＣＵＢＳ、ＣＳＩ−ＲＳ、または他の信号の検出を通してＵＥ６００によって決定され得る。ＵＥ５００などのＵＥによって生成されたとき、ＵＥ５００は、推定されたＣＣＡ応答確率情報を測定報告においてｅＮＢ６０１に送信し得る。ｅＮＢ６０１は、次いで、受信された測定報告から、推定されたＣＣＡ応答確率情報を使用し得る。
【００６３】
[0069]図６Ｂは、無認可スペクトルを含むＬＴＥ／ＬＴＥ−Ａネットワークのネットワークロケーション６１を示すブロック図である。図６Ｂに示された例示的な態様では、同じ要素が識別される。しかしながら、ｅＮＢ６０２は、ｅＮＢ６０１とは異なるＭＮＯに属する。同様に、ｅＮＢ６０３は、ｅＮＢ６０１〜６０２のいずれとも異なるＭＮＯに属する。ｅＮＢ６０１〜６０３によって動作されるネットワークの各々は互いに非同期ある。ネットワークロケーション６１など、そのようなネットワークロケーションでは、干渉は、ｅＮＢ６０１のＭＮＯに属するネットワークエンティティ、ならびにｅＮＢ６０２および６０３のＭＮＯに属するネットワークエンティティなど、多くの異なる源から発生し得る。ｅＮＢ６０２および６０３からなど、異なるＭＮＯから発生する干渉は、ｅＮＢ６０２および小さいｅＮＢ６０４を通して動作されるＭＮＯに接続されたＵＥ６０５からの送信、ならびにｅＮＢ６０２および小さいｅＮＢ６０４からの送信、およびｅＮＢ６０３を通して動作されるＭＮＯに接続されたＵＥ６０６からの送信、ならびにｅＮＢ６０３からの送信を含む。他のＭＮＯ中のネットワークエンティティからの干渉は、ｅＮＢ６０１を通して動作されるＭＮＯと同期されない。したがって、干渉送信を通して様々な信号を検出するために追加の処理が実施され得る。
【００６４】
[0070]互いに非同期であり得る複数の異なる干渉源に加えて、複数の干渉パターンに遭遇し得る。無認可スペクトルを含むＬＴＥ／ＬＴＥ−Ａシステムでは、ＬＢＴ手順は、より多くの変数（variable）を干渉パターンに導入する。干渉パターンは、同じＭＮＯ中のエンティティからまたは異なる非同期ＭＮＯにわたるエンティティからのものであり得る、各ＬＢＴフレームの送信エンティティの各々にわたるＣＣＡステータスおよび結果の同時配布に依存し得る。図６Ａに関して上述したように、ＣＣＡ結果情報の配布に基づく干渉パターンのこの変動は、異なる送信負荷、異なるＴＤＤ  ＵＬ／ＤＬ構成などのために起こり得るトラフィックパターン変動に加えて起こり得る。
【００６５】
[0071]同じＭＮＯ内の同期した源からの干渉を処理するために、図６Ａに関して説明したものと同様の手順が使用され得る。たとえば、バックホールを介してｅＮＢ６０１において他のｅＮＢから直接ＣＣＡ決定を受信すること、あるいはＣＣＡ結果情報を示す観測されたまたは検出された信号に基づいてＣＣＡ結果情報を決定することによって。しかしながら、ネットワークロケーション６１は、それぞれｅＮＢ６０１〜６０３を通して動作される３つの別個のＭＮＯを示しており、異なるＭＮＯの異なるｅＮＢの間にバックホールは存在しない。したがって、異なる事業者の異なるｅＮＢから来ている干渉について、平均的なまたは処理された干渉が捕捉され得る。上述したように、このヒステリシス干渉情報は、現在の干渉測定または検出だけに基づくのではなく、複数のＬＢＴフレームにわたって検出された干渉状態にも基づく。このヒステリシス干渉情報は、ｅＮＢ６０２〜６０３および小さいｅＮＢ６０４など、様々な近隣基地局にわたるＣＣＡ確率を提供する。
【００６６】
[0072]ＣＣＡ失敗が起きたとき、干渉が測定され得る。ｅＮＢ６０１などのｅＮＢはＣＣＡ失敗を検出するので、ｅＮＢは送信しない。したがって、ｅＮＢは近隣基地局からの干渉をリッスンし、測定し得る。追加の態様では、干渉測定にある程度のインテリジェンスを与えるために、干渉に重みが加算され得る。重みは、近隣基地局の失敗したおよび成功したＣＣＡを通して起こり得る干渉信号の変動性に適応し得る。重みは、ＵＥが複数の送信サブフレームにわたってどのように干渉を受けるかを識別する、ＵＥ６００などの被サービスＵＥからの情報を含み得る。したがって、ＵＥからの干渉確率情報が、ＵＥが別のＭＮＯにおける近隣ｅＮＢからの干渉のより高い割合を被ること、たとえば、ＵＥ６００がｅＮＢ６０２から干渉を受けていることを示す場合、この情報は、ｅＮＢ６０１によって検出されたｅＮＢ６０２からの干渉信号を修正するために使用され得る。ｅＮＢ６０２は、それがＵＥ６００から離れているよりも、ｅＮＢ６０１からさらに遠くに離れているので、測定または検出される干渉は、ＵＥ６００が受ける干渉よりも低くなり得る。したがって、ｅＮＢ６０１は、ＵＥ６００がｅＮＢ６０２から受ける可能性がより高くなる実際の干渉をより良く反映するために、場合によっては測定報告または他のアップリンク制御シグナリングにおいて、ＵＥ６００から受信されたその干渉確率情報を使用して、検出された干渉を重み付けし得る。
【００６７】
[0073]ｅＮＢ６０１などのサービングｅＮＢによって決定されるか、あるいはＵＥ６００などの被サービスＵＥから受信されるヒステリシス干渉情報を使用して、複数の送信フレームにわたって受ける干渉の確率を測定し、処理するとき、サービング基地局は、たとえば、近隣ＭＮＯのタイミングを決定し、それ自体とｅＮＢ６０３を通して動作される非同期ＭＮＯとの間の相互作用を理解し始め得る。
【００６８】
[0074]図６Ｃは、無認可スペクトルを含むＬＴＥ／ＬＴＥ−Ａネットワークのネットワークロケーション６１を示すブロック図である。図６Ｃに示された例示的な態様では、同じ要素が識別される。しかしながら、図６Ｃに示された例では、図６Ｂに示されているように、ｅＮＢ６０１〜６０３が異なるＭＮＯに属するだけでなく、ＷｉＦｉ送信がネットワークロケーション６２中に存在し、ＵＥ６００に干渉送信を与える。ＷｉＦｉルータ６０８は、固定ロケーションにおいてインターネットアクセスを提供し、ＵＥ６０６ｉは、別のワイヤレスＷｉＦｉルータ（図示せず）を通してインターネットにアクセスするためにＷｉＦｉ送信機をオンにする。したがって、干渉は、同じ事業者から、異なる非同期事業者から、または、同じくＷｉＦｉ送信からのネットワークエンティティから発生し得る。
【００６９】
[0075]無認可スペクトルを有するＬＴＥ／ＬＴＥ−Ａネットワークに関連するネットワークエンティティとＷｉＦｉデバイスとの間の相互作用に応じて、無認可スペクトルを用いたＬＴＥ／ＬＴＥ−Ａネットワークへの干渉の影響がないことがあることに留意されたい。
【００７０】
[0076]異なるＭＮＯからのｅＮＢとともに図６Ｂに示されたＬＴＥ／ＬＴＥ−ＡネットワークへのＷｉＦｉシグナリングの追加は、干渉パターンの変動を変化させないことがある。たとえば、干渉パターンは、この場合も、各ＬＢＴフレームのＣＣＡステータスおよび結果の同時配布に依存し得、異なる送信機間のトラフィックパターン変動による干渉の変化に加えて、同じまたは異なるＭＮＯから発生し得る。しかしながら、ＷｉＦｉ信号はブロードバンドであるので、ＷｉＦｉサブキャリアを搬送するすべてのデータはロードされ得る。ＬＴＥ／ＬＴＥ−Ａネットワークでは、シグナリングは、チャネル状態とネットワークローディングとに応じて周波数選択性であり得る。したがって、ＷｉＦｉ信号からの干渉パターンは、実際は、ＬＴＥとは異なる干渉パターンを引き起こし得る。したがって、干渉パターンに対する変動は、ＷｉＦｉ送信に基づいて変化しないという保証はない。
【００７１】
[0077]同じＭＮＯ内の同期した源からの干渉を処理するために、図６Ａに関して説明したものと同様の手順が使用され得る。たとえば、バックホールを介してｅＮＢ６０１において他のｅＮＢから直接ＣＣＡ決定を受信すること、あるいはＣＣＡ結果情報を示す観測または検出された信号に基づいてＣＣＡ結果情報を決定することによって。ＷｉＦｉ送信から受ける干渉は、図６Ｂにおいて図示および説明したように、異なる事業者の異なるｅＮＢから発生している干渉と同様に処理され得る。たとえば、ＷｉＦｉ送信について、平均化または処理された干渉が捕捉され得る。上述したように、このヒステリシス干渉情報は、現在の干渉測定または検出だけに基づくのではなく、複数のＬＢＴフレームにわたって検出された干渉状態にも基づく。このヒステリシス干渉情報は、より予測可能なまたは一貫した干渉を提供し得るＷｉＦｉルータ６０８から、およびＵＥ６０６ｉ内のＷｉＦｉ送信機がアクティブにされたときのみ潜在的に干渉ＷｉＦｉ信号を送信することになるＵＥ６０６ｉなどの「隠れた」ＷｉＦｉソースからなど、固定ＷｉＦｉ送信機から受け得る干渉についてのより詳細な概要(summary)を提供する。一態様では、ＷｉＦｉ干渉は、無認可スペクトルを用いたＬＴＥ／ＬＴＥ−Ａを使用して動作しているネットワークエンティティからの他の無認可スペクトル送信から分離され得る。
【００７２】
[0078]本開示の様々な態様は、同じ事業者のネットワークエンティティから発生する干渉、異なる事業者から発生する干渉、およびＷｉＦｉソースから発生する干渉など、ＣＳＩを計算するときに干渉源を区別し得る。次いで、複数の異なるＬＢＴフレームにわたって測定されたＣＵＢＳまたはＣＳＩ−ＲＳシグナリングの検出を通してヒステリシス干渉情報が合成または決定され得る。これらの雑音推定値は、ＣＳＩ計算のために使用される前に、ＵＥがどのように特定の干渉に遭遇しているのかに関する情報を使用して重み付けされ得る。重みはまた、ＵＥにおいて測定されるＣＣＡ成功確率であり得る。
【００７３】
[0079]当業者であれば、情報および信号は、様々な異なる技術および技法のいずれかを使用して表され得ることを理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【００７４】
[0080]図５Ａおよび図５Ｂの機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７５】
[0081]本明細書で本開示に関連して説明した様々な例示的論理ブロック、モジュール、回路、およびアルゴリズムステップは、電子ハードウェア、コンピュータソフトウェア、または両方の組合せとして実装され得ることを、当業者ならさらに諒解されよう。ハードウェアとソフトウェアのこの互換性を明確に示すために、様々な例示的な構成要素、ブロック、モジュール、回路、およびステップについて、上記では概してそれらの機能に関して説明した。そのような機能性がハードウェアとして実装されるか、またはソフトウェアとして実装されるかは、システム全体に課される特定のアプリケーションおよび設計制約に依存する。当業者は、説明した機能性を特定の適用例ごとに様々な方法で実装し得るが、そのような実装の決定は、本開示の範囲からの逸脱を生じるものと解釈すべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実施され得ることを容易に認識されよう。
【００７６】
[0082]本明細書で開示する実施形態に関連して説明した様々な例示的論理ブロック、モジュール、および回路は、本明細書で説明した機能を実施するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、あるいはそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７７】
[0083]本明細書の開示に関して説明した方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合される。代替として、記憶媒体はプロセッサと一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中の個別構成要素として存在し得る。
【００７８】
[0084]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を容易にするすべての媒体を含む、コンピュータ記憶媒体と通信媒体との両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または格納するために使用され得、汎用もしくは専用コンピュータ、または汎用もしくは専用プロセッサによってアクセスされ得る、任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７９】
[0085]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００８０】
[0086]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2020036329.tif 000003
【図２Ａ】
2020036329.tif 000004
【図２Ｂ】
2020036329.tif 000005
【図３】
2020036329.tif 000006
【図４】
2020036329.tif 000007
【図５Ａ】
2020036329.tif 000008
【図５Ｂ】
2020036329.tif 000009
【図６Ａ】
2020036329.tif 000010
【図６Ｂ】
2020036329.tif 000011
【図６Ｃ】
2020036329.tif 000012
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
基地局によって、複数の近隣基地局についてのクリアチャネルアセスメント（ＣＣＡ）結果情報を取得することと、
前記基地局によって、複数の送信フレームにわたって前記複数の近隣基地局のうちの１つまたは複数の近隣基地局から検出された干渉に基づいてヒステリシス干渉情報を取得することと、
前記基地局によって、前記基地局によってサービスされる前記１つまたは複数のＵＥについての制御シグナリングを生成することと、ここにおいて、前記制御シグナリングは、前記ＣＣＡ結果情報と前記ヒステリシス干渉情報とに少なくとも部分的に基づいて生成される、
前記１つまたは複数のＵＥに前記制御シグナリングを送信することと、
を備える、ワイヤレス通信の方法。
【手続補正２】
【補正対象書類名】明細書
【補正対象項目名】００８０
【補正方法】変更
【補正の内容】
【００８０】
[0086]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
基地局によって、複数の近隣基地局についてのクリアチャネルアセスメント（ＣＣＡ）結果情報を取得することと、
前記基地局によって、前記基地局によってサービスされる１つまたは複数のユーザ機器（ＵＥ）についての制御シグナリングを生成することと、ここにおいて、前記制御シグナリングは前記ＣＣＡ結果情報に少なくとも部分的に基づく、
前記１つまたは複数のＵＥに前記制御シグナリングを送信することと、
を備える、ワイヤレス通信の方法。
［Ｃ２］
前記取得することは、
前記基地局によって、前記複数の近隣基地局のうちの少なくとも１つへのバックホール通信リンクを介して前記ＣＣＡ結果情報を受信することと、
前記基地局によって、前記１つまたは複数のＵＥから前記ＣＣＡ結果情報を受信することと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することと、
のうちの１つまたは複数を含む、Ｃ１に記載の方法。
［Ｃ３］
前記基地局によって、複数の送信フレームにわたって前記複数の近隣基地局のうちの１つまたは複数の近隣基地局から検出された干渉に基づいてヒステリシス干渉情報を取得することと、
前記基地局によって、非同期動作を有する少なくとも１つの近隣基地局に関連する前記ヒステリシス干渉情報を、前記複数の基地局のうちの他の近隣基地局から識別することと、ここにおいて、前記制御シグナリングは、さらに、前記少なくとも１つの近隣基地局に関連する前記ヒステリシス干渉情報に基づいて生成される、
をさらに含む、Ｃ１に記載の方法。
［Ｃ４］
前記ヒステリシス干渉情報を前記取得することは、
前記基地局によって、前記基地局についての失敗したＣＣＡを検出することと、
前記基地局によって、前記基地局において経験される前記干渉を測定することと、
前記測定された干渉に少なくとも部分的に基づいて前記ヒステリシス干渉情報を生成することと、
を含む、Ｃ３に記載の方法。
［Ｃ５］
前記１つまたは複数のＵＥからＵＥ干渉情報を受信することをさらに含み、
前記ヒステリシス干渉情報を前記生成することは、前記ＣＣＡ結果情報と前記ＵＥ干渉情報とのうちの１つまたは複数を使用して前記測定された干渉を重み付けすることを含む、
Ｃ４に記載の方法。
［Ｃ６］
前記ヒステリシス干渉情報を前記取得することは、測定報告の一部として前記１つまたは複数のＵＥから前記ヒステリシス干渉情報を受信することを含む、Ｃ３に記載の方法。
［Ｃ７］
前記基地局によって、前記ヒステリシス干渉情報に基づいて前記基地局と前記少なくとも１つの近隣基地局との間の１つまたは複数のタイミングオフセットを決定することをさらに含み、
前記制御シグナリングは、さらに、前記１つまたは複数のタイミングオフセットに基づいて生成される、
Ｃ３に記載の方法。
［Ｃ８］
前記基地局によって、ＷｉＦｉ（登録商標）送信を有する少なくとも１つの近隣ＷｉＦｉ基地局に関連する前記ヒステリシス干渉情報を識別することをさらに含み、
前記制御シグナリングは、さらに、前記少なくとも１つの近隣ＷｉＦｉ基地局に関連する前記ヒステリシス干渉情報に基づいて生成される、
Ｃ３に記載の方法。
［Ｃ９］
ユーザ機器（ＵＥ）によって、複数の近隣基地局についてのクリアチャネルアセスメント（ＣＣＡ）結果情報を示す送信信号を検出することと、
前記ＵＥによって、ＣＣＡ結果情報を示す前記送信信号に基づいて前記複数の近隣基地局についてのＣＣＡ結果情報推定値を決定することと、
前記ＵＥによって、サービング基地局に測定報告を送信することと、ここにおいて、前記測定報告は前記ＣＣＡ結果情報推定値を含む、
を備える、ワイヤレス通信の方法。
［Ｃ１０］
ＣＣＡ結果情報を示す前記送信信号は複数の送信フレームにわたって検出され、
前記ＣＣＡ結果情報推定値は前記複数の送信フレームにわたって決定される、
Ｃ９に記載の方法。
［Ｃ１１］
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、Ｃ９に記載の方法。
［Ｃ１２］
前記ＵＥによって、複数の送信フレームにわたって前記複数の近隣基地局から干渉状態を検出することと、
前記干渉状態を、前記複数の近隣基地局からの前記ＵＥにおける干渉に関連するヒステリシス干渉情報に処理することと、ここにおいて、前記ヒステリシス干渉情報は前記測定報告中に含まれる、
をさらに含む、Ｃ９に記載の方法。
［Ｃ１３］
ワイヤレス通信のために構成された装置であって、
基地局によって、複数の近隣基地局についてのクリアチャネルアセスメント（ＣＣＡ）結果情報を取得するための手段と、
前記基地局によって、前記基地局によってサービスされる１つまたは複数のユーザ機器（ＵＥ）についての制御シグナリングを生成するための手段と、ここにおいて、前記制御シグナリングは前記ＣＣＡ結果情報に少なくとも部分的に基づく、
前記１つまたは複数のＵＥに前記制御シグナリングを送信するための手段と、
を備える、装置。
［Ｃ１４］
取得するための前記手段は、
前記基地局によって、前記複数の近隣基地局のうちの少なくとも１つへのバックホール通信リンクを介して前記ＣＣＡ結果情報を受信するための手段と、
前記基地局によって、前記１つまたは複数のＵＥから前記ＣＣＡ結果情報を受信するための手段と、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出するための手段と、
のうちの１つまたは複数を含む、Ｃ１３に記載の装置。
［Ｃ１５］
前記基地局によって、複数の送信フレームにわたって前記複数の近隣基地局のうちの１つまたは複数の近隣基地局から検出された干渉に基づいてヒステリシス干渉情報を取得するための手段と、
前記基地局によって、非同期動作を有する少なくとも１つの近隣基地局に関連する前記ヒステリシス干渉情報を、前記複数の基地局のうちの他の近隣基地局から識別するための手段と、ここにおいて、前記制御シグナリングは、さらに、前記少なくとも１つの近隣基地局に関連する前記ヒステリシス干渉情報に基づいて生成される、
をさらに含む、Ｃ１３に記載の装置。
［Ｃ１６］
前記ヒステリシス干渉情報を取得するための前記手段は、
前記基地局によって、前記基地局についての失敗したＣＣＡを検出するための手段と、
前記基地局によって、前記基地局において経験される前記干渉を測定するための手段と、
前記測定された干渉に少なくとも部分的に基づいて前記ヒステリシス干渉情報を生成するための手段と、
を含む、Ｃ１５に記載の装置。
［Ｃ１７］
前記１つまたは複数のＵＥからＵＥ干渉情報を受信するための手段をさらに含み、
前記ヒステリシス干渉情報を生成するための前記手段は、前記ＣＣＡ結果情報と前記ＵＥ干渉情報とのうちの１つまたは複数を使用して前記測定された干渉を重み付けするための手段を含む、
Ｃ１６に記載の装置。
［Ｃ１８］
前記ヒステリシス干渉情報を取得するための前記手段は、測定報告の一部として前記１つまたは複数のＵＥから前記ヒステリシス干渉情報を受信するための手段を含む、Ｃ１５に記載の装置。
［Ｃ１９］
前記基地局によって、前記ヒステリシス干渉情報に基づいて前記基地局と前記少なくとも１つの近隣基地局との間の１つまたは複数のタイミングオフセットを決定するための手段をさらに含み、
前記制御シグナリングは前記１つまたは複数のタイミングオフセットに基づいてさらに生成される、
Ｃ１５に記載の装置。
［Ｃ２０］
前記基地局によって、ＷｉＦｉ送信を有する少なくとも１つの近隣ＷｉＦｉ基地局に関連する前記ヒステリシス干渉情報を識別するための手段をさらに含み、
前記制御シグナリングは、前記少なくとも１つの近隣ＷｉＦｉ基地局に関連する前記ヒステリシス干渉情報に基づいてさらに生成される、
Ｃ１５に記載の装置。
［Ｃ２１］
ワイヤレスネットワークにおけるワイヤレス通信のためのコンピュータプログラム製品であって、
プログラムコードを記録した非一時的コンピュータ可読媒体を備え、前記プログラムコードは、
基地局によって、複数の近隣基地局についてのクリアチャネルアセスメント（ＣＣＡ）結果情報を取得することをコンピュータに行わせるためのプログラムコードと、
前記基地局によって、前記基地局によってサービスされる１つまたは複数のユーザ機器（ＵＥ）についての制御シグナリングを生成することを前記コンピュータに行わせるためのプログラムコードと、ここにおいて、前記制御シグナリングは前記ＣＣＡ結果情報に少なくとも部分的に基づく、
前記１つまたは複数のＵＥに前記制御シグナリングを送信することを前記コンピュータに行わせるためのプログラムコードと、
を含む、コンピュータプログラム製品。
［Ｃ２２］
取得することを前記コンピュータに行わせるための前記プログラムコードは、
前記基地局によって、前記複数の近隣基地局のうちの少なくとも１つへのバックホール通信リンクを介して前記ＣＣＡ結果情報を受信することを前記コンピュータに行わせるためのプログラムコードと、
前記基地局によって、前記１つまたは複数のＵＥから前記ＣＣＡ結果情報を受信することを前記コンピュータに行わせるためのプログラムコードと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することを前記コンピュータに行わせるためのプログラムコードと、
のうちの１つまたは複数を含む、Ｃ２１に記載のコンピュータプログラム製品。
［Ｃ２３］
前記基地局によって、複数の送信フレームにわたって前記複数の近隣基地局のうちの１つまたは複数の近隣基地局から検出された干渉に基づいてヒステリシス干渉情報を取得することを前記コンピュータに行わせるためのプログラムコードと、
前記基地局によって、非同期動作を有する少なくとも１つの近隣基地局に関連する前記ヒステリシス干渉情報を、前記複数の基地局のうちの他の近隣基地局から識別することを前記コンピュータに行わせるためのプログラムコードと、ここにおいて、前記制御シグナリングは、さらに、前記少なくとも１つの近隣基地局に関連する前記ヒステリシス干渉情報に基づいて生成される、
をさらに含む、Ｃ２１に記載のコンピュータプログラム製品。
［Ｃ２４］
前記ヒステリシス干渉情報を取得することを前記コンピュータに行わせるための前記プログラムコードは、
前記基地局によって、前記基地局についての失敗したＣＣＡを検出することを前記コンピュータに行わせるためのプログラムコードと、
前記基地局によって、前記基地局において経験される前記干渉を測定することを前記コンピュータに行わせるためのプログラムコードと、
前記測定された干渉に少なくとも部分的に基づいて前記ヒステリシス干渉情報を生成することを前記コンピュータに行わせるためのプログラムコードと、
を含む、Ｃ２３に記載のコンピュータプログラム製品。
［Ｃ２５］
前記１つまたは複数のＵＥからＵＥ干渉情報を受信することを前記コンピュータに行わせるためのプログラムコードをさらに含み、
前記ヒステリシス干渉情報を生成することを前記コンピュータに行わせるための前記プログラムコードは、前記ＣＣＡ結果情報と前記ＵＥ干渉情報とのうちの１つまたは複数を使用して前記測定された干渉を重み付けすることを前記コンピュータに行わせるためのプログラムコードを含む、
Ｃ２４に記載のコンピュータプログラム製品。
［Ｃ２６］
前記ヒステリシス干渉情報を取得することを前記コンピュータに行わせるための前記プログラムコードは、測定報告の一部として前記１つまたは複数のＵＥから前記ヒステリシス干渉情報を受信することを前記コンピュータに行わせるためのプログラムコードを含む、Ｃ２３に記載のコンピュータプログラム製品。
［Ｃ２７］
前記基地局によって、前記ヒステリシス干渉情報に基づいて前記基地局と前記少なくとも１つの近隣基地局との間の１つまたは複数のタイミングオフセットを決定することを前記コンピュータに行わせるためのプログラムコードをさらに含み、
前記制御シグナリングは、さらに、前記１つまたは複数のタイミングオフセットに基づいて生成される、
Ｃ２３に記載のコンピュータプログラム製品。
［Ｃ２８］
前記基地局によって、ＷｉＦｉ送信を有する少なくとも１つの近隣ＷｉＦｉ基地局に関連する前記ヒステリシス干渉情報を識別することを前記コンピュータに行わせるためのプログラムコードをさらに含み、
前記制御シグナリングは、さらに、前記少なくとも１つの近隣ＷｉＦｉ基地局に関連する前記ヒステリシス干渉情報に基づいて生成される、
Ｃ２３に記載のコンピュータプログラム製品。
【外国語明細書】
2020036329000001.pdf